(57)【要約】【課題】両軸受リールのレベルワインド機構において、釣り糸の巻き取りおよび繰り出しをスムーズに行えるようにする。【解決手段】レベルワインド機構１５は、螺軸２６と、釣糸案内部２７と、ガイド部材２５とを備えている。螺軸２６は、スプールの回転軸に沿った第１方向に延び、外周面に螺旋状溝を有している。釣糸案内部２７は、本体部材２７ａと、本体部材２７ａに配置され螺軸２６に係合する係合部材２７ｂと、スプール側の第１方向長さが糸繰り出し側の第１方向長さより大きくなるように糸繰り出し側に向けて先細りテーパ状に形成された糸案内孔２８ｄを含む筒状部材２８とを有している。このとき、筒状部材２８は、本体部材２７ａに嵌合可能に装着されている。【選択図】      図４
2004222611.tif 000002
【特許請求の範囲】
【請求項１】
釣竿に装着されるリール本体に回転自在に装着されたスプールに、釣り糸を前記スプールの回転軸の方向に沿ってずらしながら巻き付けるための両軸受リールのレベルワインド機構であって、
前記スプールの回転軸に沿った第１方向に延び前記スプールの糸繰り出し側で前記リール本体に回転自在に支持され、外周面に螺旋状溝を有する螺軸と、
本体部材と、前記本体部材に配置され前記螺軸に係合する係合部材と、前記スプール側の前記第１方向長さが前記糸繰り出し側の前記第１方向長さより大きくなるように前記糸繰り出し側に向けて先細りテーパ状に形成された糸案内孔を含み前記本体部材に嵌合可能に装着される筒状部材とを有し、前記螺軸に沿って前記スプールの少なくとも糸巻き取り方向の回転に同期して往復移動する釣糸案内部と、
前記螺軸に沿った方向に前記釣糸案内部を案内するガイド部材と、
を備える両軸受リールのレベルワインド機構。
【請求項２】
前記釣竿に対面する前記糸案内孔の内周面は、前記糸繰り出し側が前記スプール側より前記釣竿に接近するように傾斜してテーパ状に形成されている、請求項１に記載の両軸受リールのレベルワインド機構。
【請求項３】
前記糸案内孔の前記開口は、前記糸繰り出し側から前記スプール側まで円形に形成されている、請求項２に記載の両軸受リールのレベルワインド機構。
【請求項４】
前記糸案内孔では、前記スプール側の直径に対する前記糸繰り出し側の直径の比率が０．２以上０．８未満に設定されている、請求項３に記載の両軸受リールのレベルワインド機構。
【請求項５】
前記糸案内孔では、前記釣竿の中心軸に沿った軸方向長さに対する前記スプール側の直径と前記糸繰り出し側の直径との差である径差の比率（前記径差／前記軸方向長さ）が０．４以上に設定されている、請求項３又は４に記載の両軸受リールのレベルワインド機構。
【請求項６】
前記糸案内孔では、前記釣竿側の内周面の少なくとも一部が前記釣竿の中心軸に略平行に形成されている、請求項１から５のいずれかに記載の両軸受リールのレベルワインド機構。
【請求項７】
前記糸案内孔の内周縁部は、面取りされている、請求項１から６のいずれかに記載の両軸受リールのレベルワインド機構。
【請求項８】
前記本体部材にはねじ穴が形成され、前記筒状部材には前記ねじ穴に螺合させたねじ部材に係合する係合部が形成されており、前記筒状部材が前記係合部において前記本体部材に前記ねじ部材により抜け止めされている、請求項１から７のいずれかに記載の両軸受リールのレベルワインド機構。
【発明の詳細な説明】
【０００１】
【発明の属する技術分野】
本発明は、レベルワインド機構、特に、釣竿に装着されるリール本体に回転自在に装着されたスプールに、釣り糸をスプールの回転軸の方向に沿ってずらしながら巻き付けるための両軸受リールのレベルワインド機構に関する。
【０００２】
【従来の技術】
両軸受リールには、一般に、釣り糸をスプールにスプールの回転軸の方向に沿ってずらしながら巻き付けるためのレベルワインド機構が設けられている。レベルワインド機構は、スプールの糸繰り出し側でリール本体に回転自在に支持され外周面に螺旋状溝を有する螺軸と、螺軸に沿ってスプールの回転に同期して往復移動する釣糸案内部と、螺軸に沿った方向に釣糸案内部を案内するガイド部材とを備えている。特に、釣糸案内部は、本体部材と、本体部材に配置され螺軸に係合する係合部材と、スプール側から糸繰り出し側に向けて貫通して形成された糸案内孔を含み本体部材に装着される筒状部材とを有している
（たとえば、特許文献１参照）。
【０００３】
一方で、釣糸案内部には、本体部材と、本体部材に配置され螺軸に係合する係合部材と、本体部材に設置されスプールの回転軸に沿った方向に釣り糸の移動を規制する規制部とで構成されたものもある。この規制部によって、釣り糸が、糸繰り出し側からスプール側へと案内される。そして、釣り糸が、左右に移動できる間隔を小さくして、左右にばたつかないようにしている（たとえば、特許文献２参照）。
【０００４】
【特許文献１】
特開平１１−１１３４６１号公報（第５図）
【０００５】
【特許文献２】
特開平１１−２２０９８６号公報（第３図）
【０００６】
【発明が解決しようとする課題】
前者の従来のレベルワインド機構では、釣り糸を巻き取るときに、釣糸案内部の糸案内孔において釣り糸が左右に移動して、スプールの糸巻き形状が崩れるおそれがあった。このため、後者の従来のレベルワインド機構では、釣糸案内部に規制部を設置することで、釣り糸が左右に移動できる間隔を小さくして、釣り糸をスプールに均等に巻き付けられるようにしている。しかしながら、規制部を設置した場合では、釣り糸が左右に移動できる間隔を小さくしたために、釣り糸を繰り出すときに、スプールに巻き付けられた釣り糸の位置によっては、スプールと糸案内孔との間の釣り糸に大きな傾斜角を生じるおそれがある。このため、糸案内孔において釣り糸の抵抗が大きくなり、釣り糸をスムーズに繰り出しにくくなる。
【０００７】
本発明の課題は、両軸受リールのレベルワインド機構において、釣り糸の巻き取りおよび繰り出しをスムーズに行えるようにすることにある。
【０００８】
【課題を解決するための手段】
発明１に係る両軸受リールのレベルワインド機構は、釣竿に装着されるリール本体に回転自在に装着されたスプールに、釣り糸をスプールの回転軸の方向に沿ってずらしながら巻き付けるためのものである。このレベルワインド機構は、螺軸と、釣糸案内部と、ガイド部材とを備えている。螺軸は、スプールの回転軸に沿った第１方向に延び、外周面に螺旋状溝を有している。釣糸案内部は、本体部材と、本体部材に配置され螺軸に係合する係合部材と、スプール側の第１方向長さが糸繰り出し側の第１方向長さより大きくなるように糸繰り出し側に向けて先細りテーパ状に形成された糸案内孔を含む筒状部材とを有している。このとき、筒状部材は、本体部材に嵌合可能に装着されている。
【０００９】
この両軸受リールのレベルワインド機構では、螺軸がスプールの糸繰り出し側でリール本体に回転自在に支持される。そして、釣糸案内部が、螺軸に沿ってスプールの少なくとも糸巻き取り方向の回転に同期して往復移動する。このとき、ガイド部材が、釣糸案内部を螺軸に沿った方向に案内する。
ここでは、糸案内孔は、スプール側の第１方向長さが糸繰り出し側の第１方向長さより大きくなるように糸繰り出し側に向けて先細りテーパ状に形成されているので、糸繰り出し側において釣り糸のばたつきを抑えながら、釣り糸を繰り出したり巻き取ったりすることができる。このことから、糸巻き取り時には、釣り糸を安定した状態でスプールに導くことができ、釣り糸がスプール上のどの位置に巻き取られるとしても、釣り糸をスプールに均等に巻き取ることができる。また、糸繰り出し時には、釣り糸がスプール上のどの位置から繰り出されるとしても、スプールと糸案内孔との間の釣り糸に生じる傾斜角を小さくでき、糸案内孔において釣り糸に生じる抵抗を低減することができる。これらのことから、釣り糸の巻き取りおよび糸繰り出しをスムーズに行えるようになる。
【００１０】
発明２に係る両軸受リールのレベルワインド機構では、発明１に記載のレベルワインド機構において、釣竿に対面する糸案内孔の内周面は、糸繰り出し側がスプール側より釣竿に接近するように傾斜してテーパ状に形成されている。この場合、釣竿に対面する糸案内孔の内周面は、糸繰り出し側がスプール側より釣竿に接近するように傾斜してテーパ状に形成されているので、スプールに釣り糸を巻き取っていくにつれて糸巻径が大きくなっても、釣竿に対面する糸案内孔の内周面において釣り糸に生じる抵抗を低減することができる。
【００１１】
発明３に係る両軸受リールのレベルワインド機構は、発明２に記載のレベルワインド機構において、糸案内孔の開口が、糸繰り出し側からスプール側まで円形に形成されている。この場合、糸案内孔の開口が糸繰り出し側からスプール側まで円形に形成されているので、糸案内孔において釣り糸に生じうる抵抗を効果的に低減することができる。
【００１２】
発明４に係る両軸受リールのレベルワインド機構は、発明３に記載のレベルワインド機構において、糸案内孔では、スプール側の直径に対する糸繰り出し側の直径の比率が０．２以上０．８未満に設定されている。この場合、糸案内孔のスプール側の直径に対する糸繰り出し側の直径の比率を０．２以上０．８未満に設定しているので、糸繰り出し側において釣り糸のばたつきを最適に抑えることができるように直径を規定すると、スプール側の直径を容易に設定することができる。このとき、糸案内孔の軸方向長さを実用的に必要な長さに設定する限り、糸案内孔を最適なテーパ状に形成することができる。なお、この比率を０．２未満にすると、糸案内孔の軸方向長さを実用的に必要な長さに設定しても、テーパ形状が緩くなり、糸案内孔において釣り糸に生じうる抵抗を十分に低減しにくい。また、比率を０．８以上にすると、糸案内孔の中で釣り糸が左右に移動しやすくなり、糸巻形状が崩れやすくなる。
【００１３】
発明５に係る両軸受リールのレベルワインド機構は、発明３又は４に記載のレベルワインド機構において、糸案内孔では、釣竿の中心軸に沿った軸方向長さに対するスプール側の直径と糸繰り出し側の直径との差である径差の比率（径差／軸方向長さ）が０．４以上に設定されている。この場合、軸方向長さに対する径差の比率が０．４以上に設定しているので、釣り糸がスプール上のどの位置から繰り出されたとしても、糸案内孔において釣り糸に生じる抵抗を効果的に低減できるように、糸案内孔をテーパ状に形成することができる。なお、この比率を０．４未満に設定すると、糸案内孔のテーパが緩くなり、釣り糸に生じる抵抗を十分に低減しにくい。
【００１４】
発明６に係る両軸受リールのレベルワインド機構は、発明１から５のいずれかに記載のレベルワインド機構において、糸案内孔では、釣竿側の内周面の少なくとも一部が釣竿の中心軸に略平行に形成されている。この場合、糸案内孔では、釣竿側の内周面の少なくとも一部が釣竿の中心軸に略平行に形成されているので、釣り糸を糸案内孔の内周面上で安定した状態で維持することができる。
【００１５】
発明７に係る両軸受リールのレベルワインド機構は、発明１から６のいずれかに記載のレベルワインド機構において、糸案内孔の周縁部が面取りされている。この場合、糸案内孔の周縁部が面取りされているので、釣り糸が糸案内孔の周縁部に接触することがあっても、糸案内孔の周縁部における釣り糸への応力集中が緩和され、糸案内孔の周縁部で釣り糸に生じる抵抗を低減することができる。
【００１６】
発明８に係る両軸受リールのレベルワインド機構は、発明１から７のいずれかに記載のレベルワインド機構において、本体部材にはねじ穴が形成され、筒状部材にはねじ穴に螺合させたねじ部材に係合する係合部が形成されている。そして、筒状部材が係合部において本体部材にねじ部材により抜け止めされている。この場合、筒状部材が係合部において本体部材にねじ部材により抜け止めされているので、筒状部材を本体部材に確実に固定することができる。
【００１７】
【発明の実施の形態】
〔両軸受リールの全体構成〕
本発明の一実施形態を採用した両軸受リールは、図１に示すように、リール本体１と、リール本体１の側方に配置されたスプール回転用のハンドル２と、ハンドル２のリール本体１側に配置されたドラグ調整用のスタードラグ３とを備えている。
【００１８】
リール本体１は、図１および図２に示すように、フレーム５と、フレーム５の両側方に装着された第１側カバー６及び第２側カバー７と、フレーム５の前方を覆う前カバー１０とを有している。フレーム５は、所定の間隔をあけて互いに対向するように配置された一対の側板８、９と、これらの側板８、９を連結する複数の連結部１１とを有している。下側の連結部（図示しない）には前後に長い竿取付脚部が装着されており、この竿取付脚部においてリール本体１は釣竿に装着される。フレーム５内には、スプール４と、スプール４の外周に釣り糸を均一に巻くためのレベルワインド機構１５と、クラッチ機構１３を操作するためのクラッチレバー１７とが配置されている。フレーム５と第２側カバー７との間には、ハンドル２からの回転力をスプール４に伝えるための回転伝達機構１８と、クラッチ機構１３と、クラッチレバー１７の操作に応じてクラッチ機構１３の係脱を行うためのクラッチ係脱機構１９と、ドラグ機構２１と、スプール４回転時の抵抗力を調節するためのキャスティングコントロール機構２２とが配置されている。また、フレーム５と第１側カバー６との間には、キャスティング時のバックラッシュを抑えるための遠心ブレーキ機構２３が配置されている。
【００１９】
スプール４は、図２に示すように、糸巻胴部４ｂとフランジ部４ａとを有している。糸巻胴部４ｂは、筒状に形成されており、外周に釣り糸が巻き付けられる。フランジ部４ａは、糸巻胴部４ｂの両端で、糸巻胴部４ｂの外径より大径になるように一体に形成されている。このフランジ部４ａは、糸巻胴部４ｂの両端で外方に向けて傾斜させている。スプール４は、糸巻胴部４ｂの内周側で軸方向に一体に形成されたボス部５８を有しており、ボス部５８を貫通するスプール軸１６に回転不能に固定されている。スプール軸１６は、側板９を貫通して第２側カバー７に向けて延びている。この第２側カバー７へと延びたスプール軸１６の一端は、第２側カバー７に配置された軸受５９ａによって回転自在に支持されている。また、スプール軸１６の他端は、遠心ブレーキ機構２３内で軸受５９ｂによって回転自在に支持されている。これらの軸受５９ａ，５９ｂは、シールドボールベアリングである。
【００２０】
クラッチレバー１７は、図２に示すように、スプール４の後方で一対の側板８、９の間に配置されている。このクラッチレバー１７には、クラッチプレート４０が装着される。クラッチプレート４０は、図５に示すように、長方形の板状に形成されたレバー装着部４０ａと、レバー装着部４０ａの一端に一体に形成されたクラッチ係合部４０ｂとを有している。フレーム５の側板９には長孔９ａが形成されており、この長孔９ａにレバー装着部４０ａの他端を挿通させて、レバー装着部４０ａにクラッチレバー１７を装着している。なお、フレーム５の側板９とクラッチレバー１７との間には保護カバー４０ｅが装着されている。この保護カバー４０ｅによって、クラッチレバー１７を操作したときにフレーム５が傷つきにくくなっている。
【００２１】
レバー装着部４０ａでは、図５に示すように、一端側が折り曲げ加工されており、この折り曲げ加工された部分にクラッチ係合部４０ｂが一体に形成されている。このクラッチ係合部４０ｂは、Ｃ形に形成されており、一端には係合孔４０ｃが、他端にはカム係合部４０ｄが、設けられている。係合孔４０ｃには、ピン部材４１が回転不能に固定されている。このピン部材４１を、ブッシュ４２を介して、側板９に形成されたプレート装着孔９ｂに揺動自在に装着させている。これによって、レバー装着部４０ａは、ピン部材４１を支点として長孔９ａに沿って上下方向にスライド可能となる。ここで、カム係合部４０ｄは、クラッチカム７４に係合している。このクラッチカム７４は、クラッチプレート４０と後述するクラッチヨーク７０との間に配置されており、スプール軸１６回りに回転自在になっている。このとき、クラッチプレート４０のレバー装着部４０ａが長孔９ａに沿って下方に移動すると、カム係合部４０ｄによってクラッチカム７４が回転させられる。
【００２２】
回転伝達機構１８は、図２に示すように、ハンドル軸３０と、ハンドル軸３０に固定されたメインギア３１と、メインギア３１に噛み合う筒状のピニオンギア３２と、後述する螺軸２６（レベルワインド機構の構成を参照）の端部に固定された第１ギア５０と、第１ギア５０に噛み合いハンドル軸３０に回転不能に固定された第２ギア５１とを有している。ハンドル軸３０はスプール軸１６と平行に配置されている。ハンドル軸３０の一端は側板９側に回転自在に支持されており、ハンドル軸３０の他端はハンドル２に固定されている。
【００２３】
ピニオンギア３２は、図２に示すように、中央部をスプール軸１６が貫通可能な筒状の部材である。このピニオンギア３２は、スプール軸１６に軸方向移動自在に装着され、リール本体１に回転自在に支持されている。このように配置されたピニオンギア３２は、メインギア３１に噛み合う歯部６１と、スプール軸１６に噛み合う噛み合い部６２と、歯部６１と噛み合い部６２との間に形成されたくびれ部６３とを有している。噛み合い部６２には凹溝６４が端面の直径に沿って形成されており、この凹溝６４にスプール軸１６を貫通して固定された係合ピン６５が係合可能になっている。このように、噛み合い部６２と係合ピン６５とで構成される機構がクラッチ機構１３である。クラッチ機構１３において、ピニオンギア３２の凹溝６４とスプール軸１６の係合ピン６５とが係合すると、ハンドル軸３０からの回転力がスプール４に伝達される。この状態がクラッチオン状態である。一方で、ピニオンギア３２が外方に移動して、ピニオンギア３２の凹溝６４とスプール軸１６の係合ピン６５とが離脱すると、ハンドル軸３０からの回転力はスプール軸１６には伝達されない。この状態がクラッチオフ状態である。クラッチオフ状態では、スプール４は自由に回転する。
【００２４】
クラッチ係脱機構１９は、図２および図５に示すように、クラッチヨーク７０と、２本のピン７１を立設させたヨーク係合部材７３と、スプリング７２とで構成されている。クラッチヨーク７０は、ピニオンギア３２の外周側に配置されており、２本のピン７１によってスプール軸１６の回転軸に沿った方向に移動可能に支持されている。このとき、クラッチヨーク７０は、スプール軸１６の回転に連動して回転しないようになっている。クラッチヨーク７０は、中央部にギア係合部７０ａを有しており、このギア係合部７０ａにおいてピニオンギア３２のくびれ部６３に係合している。クラッチヨーク７０と第２側カバー７との間には、２本のピン７１の外周にスプリング７２がそれぞれ配置されている。このスプリング７２によって、クラッチヨーク７０は常にフレーム５の側板９側に付勢されている。
【００２５】
このようなクラッチ係脱機構１９では、クラッチレバー１７を下方に移動させると、クラッチプレート４０によってクラッチカム７４が回転させられる。このクラッチカム７４の回転によって、クラッチヨーク７０は外方に押圧される。すると、ピニオンギア３２の噛み合い部６２とスプール軸１６の係合ピン６５との係合が外れて、クラッチオフ状態になる。一方で、ハンドル２を回転させると、ハンドル軸３０の回転に連動して、クラッチカム７４の係止孔７４ｂに装着されたカム係合部材（図示しない）によって、クラッチカム７４がクラッチヨーク７０に対して相対回転する。すると、クラッチヨーク７０の押圧が解除され、ピニオンギア３２の噛み合い部６２とスプール軸１６の係合ピン６５とが係合して、クラッチオン状態になる。
【００２６】
ドラグ機構２１は、図２に示すように、メインギア３１を押圧する摩擦プレート７５と、スタードラグ３の回転操作によってメインギア３１に摩擦プレート７５を所定の力で押圧するための押圧プレート７７とを有している。遠心ブレーキ機構２３は、ブレーキケース８２と、ブレーキケース８２内に設置された回転部８３と、回転部８３に周方向に間隔を隔てて配置された摺動子８４とを有している。ブレーキケース８２は、側板８に形成された円形の開口にバヨネット構造により着脱自在に装着されている。摺動子８４は、回転部８３の径方向に移動自在になっている。キャスティングコントロール機構２２は、スプール軸１６の両端を挟むように配置された複数の摩擦プレート８０ａ，８０ｂと、摩擦プレート８０ａ，８０ｂによりスプール軸１６の挟持力を調節するためのキャップ８１とを有している。スプール軸１６の一端に配置された摩擦プレート８０ａは、ブレーキケース８２内に装着されており、スプール軸１６の他端に配置された摩擦プレート８０ｂは、キャップ８１内に装着されている。
【００２７】
ハンドル２は、図１および図２に示すように、リール本体１の側方に配置され、釣竿の中心軸にくい違う軸回りに回転自在になっている。ハンドル２は、板状のアーム部２ａと、アーム部２ａの両端に回転自在に装着された把手２ｂとを有している。アーム部２ａでは、外側面がつなぎ目のない滑らかな面に形成されており、釣り糸が絡みにくくなっている。把手２ｂはダブルハンドル型になっている。
【００２８】
〔レベルワインド機構の構成〕
レベルワインド機構１５は、スプール４に釣り糸をスプール４の軸方向に沿ってずらしながら巻き付けるためのものである。このレベルワインド機構１５は、図２に示すように、螺軸２６と、釣糸案内部２７と、ガイド部材２５とを備えている。螺軸２６は、スプール軸１６に沿った方向に左右に延び、スプール４の糸繰り出し側でリール本体１に回転自在に支持されている。この螺軸２６には、外周面に螺旋状溝２６ａが形成されている。釣糸案内部２７は、図３および図４に示すように、本体部材２７ａと、本体部材２７ａに配置され螺軸２６に係合する係合部材２７ｂと、本体部材２７ａに嵌合可能に装着される筒状部材２８とを有している。この釣糸案内部２７は、螺軸２６に沿ってスプール４の糸巻き取り方向の回転に同期して往復移動する。本体部材２７ａは、移動部２７ｅと突出部２７ｆとを有している。移動部２７ｅには、螺軸２６とガイド部材２５とが貫通して配置されている。突出部２７ｆは、移動部２７ｅの上部に突出して一体に形成されている。この突出部２７ｆをスプール４側から糸繰り出し側に貫通して、嵌合孔２７ｇが設けられている。また、突出部２７ｆの側面には、ねじ穴２７ｈが形成されている。本体部材２７ａの下部にはガイド孔２７ｃが設けられており、このガイド孔２７ｃは螺軸２６に平行に本体部材２７ａを貫通して形成されている。
【００２９】
筒状部材２８は、たとえば、セラミックスまたは硬質のステンレス合金により形成されている。この筒状部材２８は、図４に示すように、嵌合孔２７ｇにスプール４側から糸繰り出し側に向けて嵌合され装着される。筒状部材２８には、ねじ穴２７ｈに螺合するねじ部材２９に係合可能な係合部２８ａが設けられている。そして、この係合部２８ａにねじ部材２９を係合させながら、たとえば六角穴付き止めねじ等のねじ部材２９により、筒状部材２８は本体部材２７ａに抜け止めされる。
【００３０】
筒状部材２８は、図４に示すように、筒状部２８ｂと鍔部２８ｃとを有している。筒状部２８ｂには糸案内孔２８ｄが設けられている。この糸案内孔２８ｄは、スプール４側の第１方向長さが糸繰り出し側の第１方向長さより大きくなるように糸繰り出し側に向けて先細りテーパ状に形成されている。また、糸案内孔２８ｄの上面側の内周面は、糸繰り出し側がスプール４側より釣竿に接近するように傾斜してテーパ状に形成されている。さらに、糸案内孔２８ｄの下側内周面は、釣竿の中心軸に略平行になるように形成されている。ここで、糸案内孔２８ｄの内周縁部には面取りが施されている。糸案内孔２８ｄの開口形状は、糸繰り出し側からスプール４側まで円形になっている。この糸案内孔２８ｄでは、スプール４側の直径ｒ１（面取り部を除く）に対する糸繰り出し側の直径ｒ２（面取り部を除く）の比率（ｒ２／ｒ１）が０．２以上０．８未満に設定されている。そして、釣竿の中心軸に沿った軸方向長さＬ（面取り部を除く）に対するスプール４側の直径ｒ１（面取り部を除く）と糸繰り出し側の直径ｒ２（面取り部を除く）との差である径差（ｒ１−ｒ２）の比率（（ｒ１−ｒ２）／Ｌ）が０．４以上に設定されている。鍔部２８ｃは、筒状部２８ｂのスプール４側において、筒状部材２８の端部外周面上に径方向に突出して一体に形成されている。
【００３１】
ガイド部材２５は、図３に示すように、釣糸案内部２７を螺軸２６に沿った方向に案内するためのものである。ガイド部材２５は、ガイド筒２５ａとガイド棒２５ｂとで構成されている。ガイド筒２５ａとガイド棒２５ｂとは、１対の側板８、９間に固定され、スプール軸１６と平行に配置されている。ガイド筒２５ａは筒状に形成されており、ガイド筒２５ａの外周面には軸方向に長い開口部が形成されている。このガイド筒２５ａ内に螺軸２６が配置されている。そして、ガイド筒２５ａに形成された開口部により、ガイド筒２５ａの外方から内部に向けて、釣糸案内部２７の係合部材２７ｂが螺軸２６に係合可能になっている。ガイド棒２５ｂは、釣糸案内部２７に形成されたガイド孔２７ｃに、軸方向に摺動自在に挿通させている。
【００３２】
〔両軸受リールおよびレベルワインド機構の動作〕
キャスティングを行う場合には、まず、バックラッシュを抑えるためにキャスティングコントロール機構２２のキャップ８１を回転させて制動力を調整する。次に、クラッチレバー１７を下方に押すと、クラッチレバー１７が側板８，９に設けられた長孔９ａに沿って下方に移動する。すると、クラッチプレート４０を介してクラッチカム７４が回転して、クラッチ係脱機構１９のクラッチヨーク７０が外方に押圧され移動する。これによって、クラッチヨーク７０に係合したピニオンギア３２が外方に移動させられる。この状態は、ピニオンギア３２の噛み合い部６２とスプール軸１６の係合ピン６５との係合が外れているので、クラッチオフ状態である。つまり、ハンドル軸３０からの回転はスプール軸１６に伝達されず、スプール４は自由に回転する。このクラッチオフ状態で、クラッチレバー１７に置いた親指でスプール４をサミングしながらキャスティングすると、スプール４が糸繰り出し方向に自由回転し、釣り糸が筒状部材２８の糸案内孔２８ｄから繰り出される。
【００３３】
キャスティング後、着水した仕掛けを巻き取るときには、左手でパーミングしながら、右手でハンドル２を回転させる。すると、ピニオンギア３２の噛み合い部６２とスプール軸１６の係合ピン６５とが係合した状態（クラッチオン状態）になり、ハンドル２の回転力がハンドル軸３０およびメインギア３１を介してピニオンギア３２に伝達されて、スプール４が回転する。一方で、ハンドル２を回転させたときには、ハンドル軸３０に回転不能に固定された第２ギア５１から、螺軸２６の端部に固定された第１ギア５０へと、ハンドル２の回転力が伝達されて、螺軸２６が回転する。すると、螺軸２６に係合した係合部材２７ｂによって、釣糸案内部２７は、ガイド部材２５に案内されながら螺軸２６に沿った方向に往復移動させられる。このとき、釣り糸は、糸繰り出し側からスプール４側へと筒状部材２８の糸案内孔２８ｄを通って、スプール４の回転に対して少しずつずれながら、スプール４に巻き付けられていく。
【００３４】
以上のような両軸受リールを使用する場合、糸繰り出し時や糸巻き取り時には、釣り糸が、釣糸案内部２７に装着された筒状部材２８の糸案内孔２８ｄを通って、スプール４側に巻き取られたり、スプール４側から繰り出されたりする。このとき、釣糸案内部２７の糸案内孔２８ｄにおいて釣り糸がばたつかないようにしておくことは、釣り糸をスプール４に均一かつ密に巻き取るためには有効で、スプール４の糸巻き形状を崩れにくくする。また、釣糸案内部２７の糸案内孔２８ｄにおける釣り糸の抵抗を小さくすることができれば、釣り糸をスムーズにスプール４に巻き取ったり繰り出したりすることができる。
【００３５】
本実施形態のレベルワインド機構１５では、糸案内孔２８ｄは、スプール４側の第１方向長さが糸繰り出し側の第１方向長さより大きくなるように糸繰り出し側に向けて先細りテーパ状に形成されているので、糸繰り出し側において釣り糸のばたつきを抑えながら、釣り糸を繰り出したり巻き取ったりすることができる。このことから、糸巻き取り時には、釣り糸を安定した状態でスプール４に導くことができ、釣り糸がスプール４上のどの位置に巻き取られるとしても、釣り糸をスプール４に均等に巻き取ることができる。また、糸繰り出し時には、釣り糸がスプール４上のどの位置から繰り出されるとしても、スプール４と糸案内孔２８ｄとの間の釣り糸に生じる傾斜角を小さくでき、糸案内孔２８ｄにおいて釣り糸に生じる抵抗を低減することができる。これらのことから、釣り糸の巻き取りおよび糸繰り出しをスムーズに行えるようになる。
【００３６】
〔他の実施形態〕
（ａ）  前記実施形態では、糸案内孔２８ｄの開口形状が円形に形成される場合の例を示したが、糸案内孔２８ｄの開口形状は、前記実施形態に限定されず、糸案内孔２８ｄのスプール４側の第１方向長さが糸繰り出し側の第１方向長さより大きくなるように、糸案内孔２８ｄが糸繰り出し側に向けて先細りテーパ状に形成されていれば、どのような形状でも良い。たとえば、糸案内孔２８ｄの開口形状を、左右又は上下に長い長円にして、スプール側から糸繰り出し側に向けて開口を左右に先細りさせてテーパ状に形成しても良い。
【００３７】
（ｂ）  前記実施形態では、筒状部材２８がねじ部材２９により本体部材２７ａに抜け止めされる場合の例を示したが、筒状部材２８の本体部材２７ａへの装着方法は、前記実施形態に限定されず、筒状部材２８が本体部材２７ａから脱落しなければ、どのようなものでも良い。
たとえば、本体部材２７ａの嵌合孔２７ｇに雌ねじ部を形成しておいて、この雌ねじ部に螺合可能な雄ねじ部を筒状部材２８の外周面に設けることで、筒状部材２８を嵌合孔２７ｇに螺合させて本体部材２７ａに装着するようにしても良い。
【００３８】
また、筒状部材２８を本体部材２７ａの嵌合孔２７ｇにスプール４側から糸繰り出し側に向けて嵌合して、筒状部材２８の糸繰り出し側の先端部が本体部材２７ａから突出するようにしておき、糸繰り出し側に突出させた筒状部材２８に、たとえばＣ形止め輪のような抜け止め部材を装着することで、筒状部材２８を本体部材２７ａに抜け止めしても良い。
【００３９】
（ｃ）  前記実施形態では、筒状部材２８がセラミックスまたは硬質のステンレス合金により形成される場合の例を示したが、筒状部材２８の材質は、前記実施形態に限定されるものではなく、どのようなものでも良い。
（ｄ）  前記実施形態では、回転伝達機構１８の第１ギア５０と第２ギア５１とによりスプール４の糸巻き取り方向に対してのみ螺軸２６が回転する場合の例を示したが、スプール４の糸繰り出し方向に対しても螺軸２６が回転するような機構を設けても良い。この場合は、スプール軸１６に連動する連動機構を設置することで、糸繰り出し方向に対して螺軸２６を回転させることができる。
【００４０】
【発明の効果】
本発明によれば、両軸受リールのレベルワインド機構において、糸案内孔は、スプール側の第１方向長さが糸繰り出し側の第１方向長さより大きくなるように糸繰り出し側に向けて先細りテーパ状に形成されているので、糸繰り出し側において釣り糸のばたつきを抑えながら、釣り糸を繰り出したり巻き取ったりすることができる。このことから、糸巻き取り時には、釣り糸を安定した状態でスプールに導くことができ、釣り糸がスプール上のどの位置に巻き取られるとしても、釣り糸をスプールに均等に巻き取ることができる。また、糸繰り出し時には、釣り糸がスプール上のどの位置から繰り出されるとしても、スプールと糸案内孔との間の釣り糸に生じる傾斜角を小さくでき、糸案内孔において釣り糸に生じる抵抗を低減することができる。これらのことから、釣り糸の巻き取りおよび糸繰り出しをスムーズに行えるようになる。
【図面の簡単な説明】
【図１】本発明の一実施形態による両軸受リールの平面図。
【図２】前記両軸受リールの平面断面図。
【図３】前記両軸受リールにおけるレベルワインド機構の釣糸案内部の前面拡大図および側面断面図。
【図４】前記両軸受リールにおける前記レベルワインド機構の筒状部材の側面断面図および平面断面図（Ｖ−Ｖ）。
【図５】前記両軸受リールのクラッチプレートの斜視図
【符号の説明】
１  リール本体
２  ハンドル
４  スプール
１５  レベルワインド機構
１６  スプール軸
２５  ガイド部材
２６  螺軸
２６ａ  螺旋状溝
２７  釣糸案内部
２７ａ  本体部材
２７ｂ  係合部材
２７ｅ  移動部
２７ｆ  突出部
２７ｇ  嵌合孔
２７ｈ  ねじ穴
２８  筒状部材
２８ａ  係合部
２８ｂ  筒状部
２８ｃ  鍔部
２８ｄ  糸案内孔
２９  ねじ部材
【図１】
2004222611.tif 000003
【図２】
2004222611.tif 000004
【図３】
2004222611.tif 000005
【図４】
2004222611.tif 000006
【図５】
2004222611.tif 000007